(57)【特許請求の範囲】
【請求項１】
無線受信機、例えばテレビ信号受信機用のチューニング方法において、
無線受信機に操作ユニット（５）を用いて、相前後する少なくとも２つの受信チャネルを設定し、
前記受信チャネルを排除的にチューニングメモリ（６）に記憶し、かつメインメモリ（１０）が一杯になるまで累積的にメインメモリ（１０）に記憶し、
呼び出し命令に基づいて該メインメモリ（１０）に記憶された受信チャネルのうちの１つを前記チューニングメモリ（６）にロードし、
無線受信機を前記チューニングメモリ（６）に記憶されたそれぞれの受信チャネルに応じてチューニングし、
該無線受信機には、前記チューニングメモリ（６）に記憶される別の受信チャネルが設定される場合において、
前記別の受信チャネルが無線受信機に前記操作ユニット（５）の＋／−キーの操作によって間接的に設定される場合であって、かつ前記メインメモリ（１０）が一杯の場合該別の受信チャネルを前記チューニングメモリ（６）に当該別の受信チャネルが記憶されてから所定秒の記憶時間が経過した後に、排除的に前記メインメモリ（１０）に記憶し、
前記別の受信チャネルが無線受信機に直接的に設定される場合、該別の受信チャネルを常に排除的に前記メインメモリ（１０）に記憶することを特徴とする、チューニング方法。
【請求項２】
前記メインメモリ（１０）に記憶された受信チャネルの個数は２つであり、
別の受信チャネルが、直接的にチャネル入力される場合には一方の受信チャネルを排除し、間接的にチャネル入力される場合には他方の受信チャネルを排除する、請求項１記載のチューニング方法。
【請求項３】
直接的なチャネル設定の場合には、前記メインメモリ（１０）内において一方の受信チャネルが他方の受信チャネルを排除する、請求項２記載のチューニング方法。
【請求項４】
間接的なチャネル設定の場合には、記憶時間よりも長い付加時間の経過後に、一方の受信チャネルと他方の受信チャネルを交換する、請求項２または３記載のチューニング方法。
【請求項５】
前記別の受信チャネルは、記憶された受信チャネルの最も古いものを排除する、請求項１記載のチューニング方法。
【請求項６】
前記メインメモリ（１０）は、２つの部分領域（１０′、１０″）に分割されており、
該部分領域（１０′、１０″）の少なくとも一方の領域においては、少なくとも２つの受信チャネルが記憶可能であり、
別の受信チャネルを直接的なチャネル入力の場合には該部分領域（１０′、１０″）の一方の領域に記憶し、間接的なチャネル入力の場合には該部分領域（１０′、１０″）の他方の領域に記憶する、請求項１記載のチューニング方法。
【請求項７】
受信チャネルは前記部分領域（１０′、１０″）に順次記憶されており、
別の受信チャネルは、それぞれの部分領域（１０′、１０″）に記憶された受信チャネルの最も古いものを排除する、請求項６記載のチューニング方法。
【請求項８】
直接的にチャネルが設定され、かつ他方の部分領域（１０″）が受信チャネルによって完全には一杯ではない場合、排除された受信チャネルを他方の部分領域（１０″）に記憶し、
間接的にチャネルが設定され、かつ一方の部分領域（１０′）が受信チャネルによって完全には一杯ではない場合、排除された受信チャネルを一方の部分領域（１０′）に記憶する、請求項７記載のチューニング方法。
【請求項９】
排除された受信チャネルを、新たな部分領域（１０′、１０″）において、それぞれの部分領域（１０′、１０″）に記憶された受信チャネルの最も古いものとして記憶する、請求項８記載のチューニング方法。
【請求項１０】
前記別の受信チャネルを前記メインメモリ（１０）から呼び出し、
該別の受信チャネルは前記メインメモリ（１０）に記憶された受信チャネルの最も新しいものではなく、
該別の受信チャネルを補充条件が発生すると２番目に新しい受信チャネルとして、前記メインメモリ（１０）ないしは前記一方の部分領域（１０′）に記憶する、請求項５、７、８または９記載のチューニング方法。
【請求項１１】
呼出し命令を最初に入力する場合には一方の受信チャネルを前記チューニングメモリ（６）にロードし、
呼出し命令をさらに入力する場合には循環的に、前記メインメモリ（１０）に記憶された受信チャネルの他方のチャネルを１つずつ前記チューニングメモリ（６）にロードする、請求項１から１０のいずれか１項記載のチューニング方法。
【請求項１２】
前記メインメモリ（１０）に記憶された受信チャネルを呼出し命令によって直接的に呼び出す、請求項１から１１のいずれか１項記載のチューニング方法。
【請求項１３】
表示命令の入力する場合には、前記メインメモリ（１０）に記憶された受信チャネルを表示ユニットに表示する、請求項１から１２のいずれか１項記載のチューニング方法。
【請求項１４】
前記メインメモリ（１０）に記憶された複数の受信チャネルと共に、どのようにして該受信チャネルを呼出し命令によって直接的に呼び出されるかを表示ユニット（９）に表示する、請求項１２または１３記載のチューニング方法。
【請求項１５】
表示命令がさらに入力される場合、前記メインメモリ（１０）に記憶された受信チャネルの表示を再び消去する、請求項１３または１４記載のチューニング方法。
【請求項１６】
受信チャネルの個数は少なくとも４つであり、
４つの受信チャネルないしは前記メインメモリ（１０）に記憶された最後の４つの受信チャネルのための呼出し命令をカーソル十字（２１）に割り当てる、請求項１３、１４または１５記載のチューニング方法。
【請求項１７】
前記の４つの受信チャネルないしは前記メインメモリ（１０）に記憶された最後の４つの受信チャネルのための呼出し命令を、まず特殊キー（２２）を操作することによって前記カーソル十字（２１）に割り当て、
それ以外の場合、該カーソル十字（２１）を介してさらに無線受信機に対する別の命令を入力する、請求項１６記載のチューニング方法。
【請求項１８】
前記メインメモリ（１０）には２つより多い受信チャネルが記憶されており、
ラスト素子（２３）の操作によって、前記メインメモリ（１０）に記憶された最も新しい受信チャネルを呼び出し、ないしは最も新しい受信チャネルと２番目に新しい受信チャネルを交互に呼び出す、請求項５から１７のいずれか１項記載のチューニング方法。
【請求項１９】
無線受信機、例えばテレビ信号受信機において、
選択される受信チャネルを記憶する恒久的メモリ（３）を備え、
選択される受信チャネルのうちの１つが記憶されるチューニングメモリ（６）を備え、
少なくとも２つの受信する受信チャネルが記憶されるメインメモリ（１０）を備え、
前記受信チャネルは排除的に前記チューニングメモリ（６）に記憶され、かつ前記メインメモリ（１０）が一杯になるまで累積的に該メインメモリ（１０）に記憶され、
操作ユニット（５）を備え、該操作ユニット（５）を用いて前記メインメモリ（１０）に記憶された受信チャネルは前記チューニングメモリ（６）にロードされ、
前記チューニングメモリ（６）に記憶されたそれぞれの受信チャネルに応じて前記無線受信機がチューニングされ、
比較ユニット（４）を備え、該比較ユニット（４）は、前記操作ユニット（５）の＋／−キー（２１）を操作することによって機能する間接的なチャネル設定の場合であって、かつ前記メインメモリ（１０）が一杯の場合、前記チューニングメモリ（６）に受信チャネルが記憶されてから所定秒の記憶時間が経過した後に、前記チューニングメモリ（６）に記憶された受信チャネルを排除的に前記メインメモリ（１０）に記憶し、
前記比較ユニット（４）は、直接的なチャネル設定の場合には常に前記チューニングメモリ（６）に記憶された受信チャネルを前記メインメモリ（１０）に記憶する、
ことを特徴とする無線受信機。
【請求項２０】
前記メインメモリ（１０）は２つの部分領域（１０′、１０″）を有し、
該部分領域（１０′、１０″）の少なくとも１つの部分領域に、少なくとも２つの受信チャネルを記憶する、請求項１９記載の無線受信機。
【請求項２１】
前記操作ユニット（５）は操作素子（２２）を有し、該操作素子（２２）を用いて前記メインメモリ（１０）に記憶された受信チャネルを循環的に該メインメモリ（１０）から呼び出す、請求項１９または２０記載の無線受信機。
【請求項２２】
前記操作ユニット（５）は操作素子（２０、２１）を有し、該操作素子（２０、２１）を用いて前記メインメモリ（１０）に記憶された受信チャネルを直接的に該メインメモリ（１０）から呼び出す、請求項１９から２１のいずれか１項記載の無線受信機。
【請求項２３】
前記操作素子（２０、２１）には基本機能が割り当てられており、
前記操作ユニット（５）は、特殊素子（２２）を有し、該特殊素子（２２）を用いて前記操作素子（２０、２１）に前記メインメモリ（１０）に記憶された受信チャネルを直接的に呼び出す呼出し命令を割り当てる、請求項２２記載の無線受信機。
【請求項２４】
前記メインメモリ（１０）は、受信チャネルを１つずつ記憶する丁度２つの記憶スペース（Ｅ１、Ｅ２）を有する、請求項１９から２３のいずれか１項記載の無線受信機。
【請求項２５】
前記メインメモリ（１０）は、受信チャネルを１つずつ記憶する少なくとも４つの記憶スペース（Ｅ１からＥ４）を有し、
前記操作ユニット（５）は、前記メインメモリ（１０）に記憶された無線チャネルの４つの受信チャネルないしは最後の４つの受信チャネルを直接的に呼び出す４つの操作素子（２１）を有し、該操作素子（２１）はカーソル十字として形成されている、請求項１９から２３のいずれか１項記載の無線受信機。
【請求項２６】
前記操作ユニット（５）はラスト素子（２３）を有し、該ラスト素子（２３）を用いて前記メインメモリ（１０）に記憶された受信チャネルの最も新しい受信チャネルを呼び出し、または最も新しい受信チャネルと２番目に新しい受信チャネルを交互に呼び出す、請求項１９から２５のいずれか１項記載の無線受信機。
【請求項２７】
無線受信機は表示ユニット（９）を有し、該表示ユニット（９）を用いて前記メインメモリ（１０）に記憶された受信チャネルを表示する、請求項１９から２６のいずれか１項記載の無線受信機。
【発明の詳細な説明】
【０００１】
本発明は、無線受信機例えばテレビ信号受信機用のチューニング方法に関する。ここで無線受信機には操作ユニットを用いて、相前後する少なくとも２つの受信チャネルが設定され、これらの受信チャネルは排除的にチューニングメモリに記憶される。排除された受信チャネルはメインメモリに記憶され、呼び出し命令に基づいてメインメモリに記憶された受信チャネルがチューニングメモリにロードされ、無線受信機はチューニングメモリに記憶されたそれぞれの受信チャネルに応じてチューニングされ、無線受信機には別の受信チャネルが設定され、この別の受信チャネルはチューニングメモリに記憶され、別の受信チャネルは無線受信機に操作ユニットの＋／−キーの操作によって間接的に設定される。本発明はさらにこれに対応する無線受信機に関する。
【０００２】
このようなチューニング方法及びこれに対応する無線受信機は、例えばDE 30 42 851 C2またはUS-A-4,367,559により公知である。無線受信機は例えば衛星受信機、ビデオレコーダとして、またテレビ受像機として公知である。
【０００３】
B.Howell等の論文「A Systems Approach to Low-Cost Electronic Tuning Address」、IEEE Transactions on Consumer Electronics、CE-24巻、３番、１９７８年８月、により３つの記憶スペースを備えたメインメモリを有するテレビが公知である。所定のキーを押すことによって、ユーザはこの記憶スペースに記憶されたテレビチャネルを循環的に連続して呼び出すことができる。この場合３つの記憶スペースに記憶されたテレビチャネルは、それぞれ最後に調整されたテレビチャネルである。新たなテレビチャネルを選択すると、そのチャネルが記憶されていたテレビチャネルの代わりにメインメモリに記憶される。
DE 42 25 052 A1によりメモリを備えた無線受信機が公知であり、このメモリには以前に調整された最後の受信チャネルが記憶されており、そして再びそこから呼び出すことが可能である。記憶は常に行われ、また必要不可欠である。
【０００４】
無線受信機では頻繁に、いわゆるお気に入り機能（Favorit-Funktion）ないしは最終呼び出し機能（Last-Funktion）が備えられており、この機能を用いて無線受信機を、無線受信機が合間に１つまたは複数の別の受信チャネルにチューニングされているにもかかわらず、直接的に再び所定の受信チャネルにチューニングすることができる。
【０００５】
受信チャネルを介して受信された番組プログラムはしばしばコマーシャルによって中断される。このコマーシャルの間ユーザ（すなわちテレビ信号受信機の場合では視聴者）の大多数は、コマーシャルが続く間に本来選択した番組プログラムから、別の受信チャネルを介して受信され、その時点ではコマーシャルによって中断されていない他の番組プログラムへと切り替える。それにも関わらずユーザは、時折コマーシャルが未だ続いているかを調べるために本来受信した番組プログラムへと戻すはずである。本来選択した番組プログラムへは、本来選択した受信チャネルの記憶に基づき容易に切り替えることができる。
【０００６】
コマーシャルがまだ続いていれば、ユーザは通常再び合間に選択した受信チャネルに切り替えようとする。このこともまた容易である。何故ならば本来選択した番組プログラムへ切り替える際に通常は合間に選択した番組プログラムが記憶されるからである。しかしながらユーザが合間に選択した番組プログラムから、ユーザにとってはそれよりも面白いかもしれないので、別の番組プログラムを選択すると、合間に選択された番組プログラムに関する情報は失われる。ユーザがそのような場合に再び合間に選択したチャネルに切り替えたい場合、ユーザが受信チャネルを覚えていないと、受信可能な番組プログラムの数によっては合間に選択したチャネルへの切り替えが非常に困難となる可能性がある。
【０００７】
本発明の課題は、無線受信機のユーザが簡単なやり方で合間に選択した番組プログラムも再び見つけだすことができる手段を提供することである。
【０００８】
この課題はチューニング方法に関して、第１の受信チャネルに累積して少なくとも１つの第２の選択された受信チャネルもメインメモリが一杯になるまでメインメモリに記憶し、呼び出し命令に基づいて第２の受信チャネルをチューニングメモリにロード可能であり、そして別の受信チャネルを間接的なチャネル設定の場合には、チューニングメモリに別の受信チャネルが記憶されてから所定秒の記憶時間が経過した後に、排除的にメインメモリに記憶することによって解決される。
【０００９】
この場合、このことによって本来選択された番組プログラムの受信チャネルも合間に選択された番組プログラムの受信チャネルも、メインメモリからチューニングメモリにロードすることができ、その際に間接的な設定の場合には極短時間だけ設定されて飛ばされたような受信チャネルはメインメモリを（例えばいわゆるザッピングされた場合に）予定より早く上書きしない。
【００１０】
これに対して直接的なチャネル設定の場合には、別の受信チャネルは常に排除的にメインメモリに記憶される。
【００１２】
メインメモリに記憶される受信チャネルの個数が２つであるときには、有利には別の受信チャネルが受信チャネルの一方を直接的なチャネル設定の場合にのみ排除する。間接的なチャネル設定の場合には、他方の受信チャネルが排除される。なぜならばこの場合、本来所望した番組プログラムが受信される一方の受信チャネルはほぼ常に保持されるからである。
【００１３】
間接的なチャネル設定の場合には付加時間の経過後に、メインメモリに記憶された受信チャネルを交換することができる。この付加時間はもっとも記憶時間よりも格段に長いものでなくてはならず、この記憶時間は例えば５または１０分である。
【００１４】
受信チャネルは相前後してメインメモリに記憶されている。したがって記憶される受信チャネルが２つより多ければ、別の受信チャネルが記憶された受信チャネルの最も古いものを排除することが可能である。原則的にこのやり方は、確かに記憶される受信チャネルが２つだけの場合でも可能である。しかしながら記憶される受信チャネルが２つだけの場合には、本来選択された番組プログラムが排除されるという危険が生じる。
【００１５】
メインメモリが２つの部分領域に分割されており、部分領域の少なくとも一方に少なくとも２つの受信チャネルを記憶することが可能であり、そして別の受信チャネルが直接的なチャネル設定の際には一方の部分領域に、また間接的なチャネル設定の際には他方の部分領域に記憶される場合には、種々異なる呼び出し形式で選択された受信チャネルを別個に記憶することが可能である。ここで部分領域内では、別の受信チャネルがさらにそれぞれの部分領域に記憶された最も古い受信チャネルを排除する。
【００１６】
チューニング方法の「検知能力」は次のようにしてさらに高められる。すなわち、直接的にチャネルが入力され、かつ他方の部分領域が受信チャネルによって完全には一杯でない場合に、排除される受信チャネルが他方の部分領域に記憶することによって、そして間接的にチャネルが入力され、かつ一方の部分領域が受信チャネルによって完全には一杯でない場合に、排除される受信チャネルを一方の部分領域に記憶することによってさらに高められる。しかしながら部分領域の包括的な排除は行われない。
【００１７】
部分領域を包括的に記憶する場合は、排除される受信チャネルを新たな部分領域に、それぞれの部分領域に記憶された受信チャネルの最も古いものとして記憶すると、最適であるということが実験の結果明らかになった。
【００１８】
別の受信チャネルがメインメモリから呼び出され、かつメインメモリに記憶された受信チャネルのうち最も新しいものでない場合、補充条件が発生すると別の受信チャネルを有利には２番目に新しい受信チャネルとしてメインメモリないしは部分領域に記憶する。何故ならばこのようにすれば優先的に記憶された最後の受信チャネルは、メインメモリに記憶された別の受信チャネルが合間に呼び出されるとその後も優先的なものとして残ることが保証されるからである。
【００１９】
メインメモリに記憶された受信チャネルは種々異なるやり方で呼び出すこともできる。
【００２０】
メインメモリに記憶された一方の受信チャネルの呼び出し命令が最初に入力され、かつ呼び出し命令がさらに入力される場合には、メインメモリに記憶された他方の受信チャネルを１つずつチューニングメモリにロードする。このやり方は殊に、メインメモリに受信チャネルが極僅かしか記憶されていないときには有利である。このことは、記憶される受信チャネルが２つだけの場合には交換はただ１度であることを意味し、この交換はキー１つだけを介して行うことができる。記憶される受信チャネルが２つより多い場合には、このようなチャネル呼び出しに対しては例えば、＋／−キーを介したアップキーないしはダウンキーが考えられる。
【００２１】
択一的または付加的に、メインメモリに記憶された受信チャネルを呼び出し命令によって直接的に呼び出すことが可能である。ここで例えば操作ユニットの数字キーボードを介した入力が考えられる。
【００２２】
受信チャネルの直接的な呼び出しでは、表示命令を入力するとメインメモリに記憶された受信チャネルが表示ユニットに表示されることによってユーザガイドを行うことができる。
【００２３】
メインメモリに記憶された受信チャネルと一緒に、どのようにしてメインメモリに記憶された受信チャネルを呼び出し命令によって直接的に呼び出すことができるかが表示ユニットに表示されれば、ユーザガイドはさらに改善される。
【００２４】
表示命令がさらに入力されると、メインメモリに記憶された受信チャネルの表示が再び消去されるようにすれば、現在選択された受信チャネルを切り替える必要はない。すなわち、例えば表示命令を誤って入力した場合これを再び取り消すことが可能である。また、どの受信チャネルが目下メインメモリに記憶されているかを後で知るために、メインメモリに記憶された受信チャネルを単に表示することも可能である。
【００２５】
受信チャネルの個数が４つであるときには、呼び出し命令をカーソル十字に割り当てると殊に簡単に選択することができる。またこの場合、呼び出し命令に対する記憶された受信チャネルの割り当てを、記憶された受信チャネルに関する情報を表示ユニットに配置することによって表示することができる。受信チャネルの個数が４つより多いときには、メインメモリに記憶された最後の４つの受信チャネルのための呼び出し命令をカーソル十字に割り当てることができる。
【００２６】
カーソル十字を介して通常の場合は無線受信機に対する別の命令が入力され、４つの受信チャネルないしはメインメモリに記憶された最後の４つの受信チャネルに対する呼び出し命令がカーソル十字に、特殊キーの操作によって初めて割り当てられる場合には、操作ユニットの付加的に必要とされる操作素子の個数は可能な限り少ないものである。
【００２７】
メインメモリに２つより多い受信チャネルが記憶されている場合、ラスト素子を操作することによってメインメモリに記憶された最も新しい受信チャネル、ないしは最も新しい受信チャネルと２番目に新しい受信チャネルが交互に呼び出されるようにすれば、無線受信機に対する操作の快適性はより大きくなる。
【００２８】
別の利点及び詳細は従属請求項並びに図面に基づいた以下の実施例の説明により明らかとなる。ここで原理図においては、図１は無線受信機ないしはテレビ信号受信機の実例としてのテレビ受信機を示す。図２は経過ダイアグラムである。図３は別の経過ダイアグラムである。図４は操作ユニットを示す。図５は表示ユニットの表示である。図６は表示ユニットの別の表示である。
【００２９】
図１によれば、無線受信機ないしはテレビ信号受信機の実例としてのテレビ受信機はアンテナ端子１を有する。アンテナ端子１にはアンテナ２が接続されている。アンテナ２を介して複数のテレビ番組プログラムを受信することが可能であり、ここで各テレビ番組プログラムは受信チャネルに対応する。したがって「テレビ番組プログラム」ないしは単に「番組プログラム」及び「受信チャネル」の概念は、以下同義語として使用する。
【００３０】
恒久的メモリ３には選択可能な受信チャネルが記憶されている。所定のテレビ番組プログラムを受信するために、テレビ受信機用の制御ユニット４に操作ユニット５を用いて受信チャネルが設定される。制御ユニット４はこれに加えチューニングメモリ６内の設定された受信チャネルをロードする。チューニングメモリ６の内容はチューナ７のチューニングを確定する。すなわちテレビ受信機は常に、チューニングメモリ６に記憶された受信チャネルにチューニングされる。チューナ７のチューニングに基づいて選択された番組プログラムは、次にミキサ８を介してモニタ９に表示される。
【００３１】
テレビ受信機はメインメモリ１０を有し、このメインメモリ１０はチャネルを１つずつ記憶するための複数の記憶スペースを有する。記憶スペースの個数は任意である。しかしながらそれは少なくとも２つである。
【００３２】
テレビ受信機のスイッチを入れたとき、メインメモリ１０は差し当たり空である。選択された番組プログラムを切り替えるごとに、すなわち受信チャネルを新たに入力するごとに、新たに設定された受信チャネルがまずチューニングメモリ６にロードされる。以前にそこに記憶された受信チャネルは、チューニングメモリ６から排除される。引き続き新たに設定された受信チャネルがチューニングメモリ６からメインメモリ１０に伝送され、そこで累積されて以前に記憶された受信チャネルと共に、メインメモリ１０が完全に一杯になるまで記憶される。
【００３３】
メインメモリ１０に記憶された受信チャネルは、操作ユニット５を介して入力される呼び出し命令に基づいてメインメモリ１０から呼び出すことができ、そしてチューニングメモリ６にロードすることができる。したがって簡単なやり方で以前に選択された番組プログラムの「再トレース」が可能である。
【００３４】
メインメモリ１０が一杯であるときに、別の受信チャネルが設定される場合には、メインメモリ１０において他を排除することにより別の受信チャネルを１つだけ記憶することが可能である。別の受信チャネルはたしかに即座にチューニングメモリ６に排除的に記憶される。しかしながら、メインメモリ１０の内容が受信チャネルを短期間で切り替えるごとに上書きされることを防ぐために、別の受信チャネルは制御ユニット４によって記憶条件が発生しているときのみメインメモリ１０内に記憶される。記憶条件が発生しているかどうかの検査は制御ユニット４によって行われる。すなわちこの制御ユニット４は比較ユニットとして機能し、この比較ユニットは記憶条件が発生している場合にのみチューニングメモリ６に記憶された受信チャネルをメインメモリ１０に記憶する。
【００３５】
別の受信チャネルは直接的な入力（例えば操作ユニット５の数字キー）によって、または＋／−キーを介してテレビ受信機に設定される。直接的に入力された場合には、実施例による記憶条件は常に満たされている。＋／−キーを介して入力される場合には実施例による記憶条件は、＋／−キーを最後に操作してから例えば１０または２０秒の記憶時間が経過したときに満たされる。
【００３６】
記憶スペースの個数が丁度２つであれば、有利には図２に図示されたような方法ステップとなる。区別するために記憶スペースをここでは以下Ｅ１及びＥ２と表す。
【００３７】
図２によれば、先ずステップ１１において、操作ユニット５を介して入力されているかどうかが問い合わされる。操作ユニットを介していなければステップ１２に分岐される。介していれば入力がステップ１３において実行され、そしてステップ１４に続く。
【００３８】
ステップ１４においては、チューニングメモリ６の内容が変更されているかどうかが問い合わされる。内容が変更されていなければ、再びステップ１２に分岐される。変更されていれば、ステップ１５においてチューニングメモリ６の内容が＋／−キーを用いた入力を介して変更されたかどうかが問い合わされる。
【００３９】
チューニングメモリ６の内容が＋／−キーを用いた入力を介さずに変更されたならば、この別の受信チャネルは直接的に設定されたものである。この場合記憶条件も付加条件も満たされている。次にステップ１６において一方の記憶スペースＥ１の内容が記憶スペースＥ２に再記憶される。記憶スペースＥ２の以前の内容は排除される。チューニングメモリ６の内容は記憶スペースＥ１に記憶される。それからステップ１２に分岐される。
【００４０】
チューニングメモリ６の内容が＋／−キーを用いた入力を介して変更されたならば、ステップ１７においてタイマＴが０に設定されそしてスタートされる。それから再びステップ１２に分岐される。
【００４１】
ステップ１２においてはタイマＴが満了しているかどうかが問い合わされる。満了していなければステップ１１に分岐される。満了していれば、＋／−キーを用いた入力を介してチューニングメモリ６の内容が変更されてから記憶時間が経過している。次にステップ１８において、チューニングメモリ６の内容が記憶スペースＥ２に記憶される。記憶スペースＥ２の以前の内容は排除される。
【００４２】
すなわちタイマＴが満了している場合、たしかに記憶条件は満たされているが、しかしながら付加条件は満たされていない。
【００４３】
記憶スペースの個数が２よりも多いときには、有利には図３に図示されたような方法ステップとなる。ここで図３では、記憶スペースの個数は４つとする。区別するために、記憶スペースをここでは以下Ｅ１からＥ４と表す。しかしながら記憶スペースの個数は別の数、例えば８または１０であっても良い。
【００４４】
受信チャネルは相前後してメインメモリ１０に記憶されている。ここで記憶スペースＥ１には、最後に記憶された受信チャネルが記憶されており、記憶スペースＥ４には最初に記憶された受信チャネルが記憶されている。すなわち記憶スペースＥ１に記憶された受信チャネルは最も新しい受信チャネルであり、記憶スペースＥ４に記憶された受信チャネルは最も古い受信チャネルである。
【００４５】
図２の場合と同様に図３の場合でも、先ずステップ１１において操作ユニット５を介して入力されたかどうかが問い合わされる。操作ユニットを介していなければ、ステップ１２に分岐される。介していれば、入力がステップ１３において実行され、そしてステップ１４に続く。
【００４６】
ステップ１４においては、チューニングメモリ６の内容が変更されたかどうかが再び問い合わされる。内容が変更されていなければ、再びステップ１２に分岐される。変更されていれば、ステップ１７においてタイマＴが０に設定されそしてスタートされる。それから再びステップ１２に分岐される。
【００４７】
ステップ１２においては、タイマＴが満了しているかどうかが問い合わされる。満了していなければステップ１１に分岐される。満了していれば、チューニングメモリ６の内容が変更されてから記憶時間が経過している。ここで記憶条件は満たされている。この場合ステップ１９においてはメインメモリ１０の内容が更新される。このために記憶スペースＥ３の内容は記憶スペースＥ４に、記憶スペースＥ２の内容は記憶スペースＥ３に、記憶スペースＥ１の内容は記憶スペースＥ２に再記憶される。チューニングメモリ６の内容は記憶スペースＥ１に記憶される。
【００４８】
テレビ受信機の操作の快適性は、メインメモリ１０が２つの部分領域１０′、１０″に分割されていればさらに向上する。ここで実施例によれば各部分領域１０′、１０″は記憶スペースＥ１からＥ４までのうち２つの記憶スペースを有し、その結果各部分領域１０′、１０″に２つの受信チャネルを記憶することができる。
【００４９】
ここで１つの受信チャネルが数字キーを介して直接的に設定されると、すなわち記憶条件および付加条件が満たされていると、新たに設定された受信チャネルが記憶スペースＥ１に記憶される。以前記憶スペースＥ１に記憶された受信チャネルは記憶スペースＥ２に再記憶される。ここで記憶スペースＥ３が依然として空であれば、以前記憶スペースＥ２に記憶された受信チャネルは記憶スペースＥ３に再記憶される。これに対して記憶スペースＥ３が既に記憶スペースＥ４の側から占有されていれば、以前記憶スペースＥ２に記憶された受信チャネルは失われる。また記憶スペースＥ４も依然として空である限りにおいて、数字キーを介して直接的にチャネルが設定された場合には、２つの受信チャネルが部分領域１０′から部分領域１０″に再記憶される。
【００５０】
これに対して受信チャネルが＋／−キーを介して間接的に設定され、かつ記憶時間が経過しているとき、すなわち記憶条件のみが満たされているときは、新たに設定された受信チャネルが記憶スペースＥ４に記憶される。以前に記憶スペースＥ４に記憶された受信チャネルは記憶スペースＥ３に再記憶される。ここで記憶スペースＥ２がまだ空であれば、以前に記憶スペースＥ３に記憶された受信チャネルは記憶スペースＥ２に再記憶される。これに対して記憶スペースＥ２が記憶スペースＥ１の側から占有されていたならば、以前に記憶スペースＥ３に記憶された受信チャネルは失われる。記憶スペースＥ１も依然として空である限りにおいて、＋／−キーを介して間接的にチャネル設定された場合には、同様に２つの受信チャネルが部分領域１０″から部分領域１０′に再記憶される。
【００５１】
メインメモリ１０に記憶された受信チャネルの呼び出し及びそれに続くチューニングメモリ６へのロードは、操作ユニット５の構成に応じて同様に異なるやり方で行うことができる。したがって以下においては、まず図４に基づいて操作ユニット５を詳細に説明する。
【００５２】
図４によれば、操作ユニット５は数字キー２０を有する。数字キー２０を用いて例えば、受信チャネルを直接的に入力することが可能である。操作ユニット５はさらに４つのカーソルキー２１有する。２つの横のカーソルキー２１を用いて例えば音量を調整することが可能である。上下のカーソルキー２１を用いて例えば、アップ／ダウンキーにより受信チャネルを間接的に入力することが可能である。すなわち上下のカーソルキー２１は＋／−キーの機能を有する。カーソルキー２１は全部でカーソル十字を形成する。最後に操作ユニット５はさらに特殊キー２２及びラストキー２３を有する。
【００５３】
操作ユニット５はこれに加えさらに別の操作素子を有する。しかしながらこの別の操作素子は本発明の範囲においては重要ではなく、またしたがって図４には図示されていない。
【００５４】
メインメモリ１０に極僅かな受信チャネル（例えば２または４）しか記憶されていない場合、特殊キー２２の操作は有利には呼び出し命令の入力を意味する。ここで、メインメモリ１０に記憶された一方の受信チャネルの呼び出し命令が最初に入力されると、これがメインメモリ１０からチューニングメモリ６にロードされる。呼び出し命令をさらに入力する場合には循環的に、メインメモリ１０に記憶された他方の受信チャネルが１つずつチューニングメモリ６にロードされる。
【００５５】
メインメモリ１０に記憶された受信チャネルのいずれが第１の受信チャネルとしてメインメモリ１０からチューニングメモリ６にロードされるかは、原則的に自由に選択できる。有利には、例えば常に最も新しく記憶された受信チャネルまたは常に最も古く記憶された受信チャネルをチューニングメモリ６にロードすることができる。図２による記憶方法では、常に記憶スペースＥ１に記憶された受信チャネルを、またはザッピングによる最後の番組プログラム切り替えの前に一番最後に呼び出された受信チャネルを呼び出すことも可能である。
【００５６】
択一的に、メインメモリ１０に記憶された受信チャネルを直接的に呼び出すことが可能である。この場合、特殊キー２２の操作は呼び出し命令のための事前命令の入力を意味するにすぎない。メインメモリ１０に４つまでの受信チャネルが記憶されている場合、本来的な呼び出し命令を択一的にカーソルキー２１のうちの１つを操作することによっても作動させることができる。メインメモリ１０に例えば１０までの受信チャネルが記憶されている場合、本来的な呼び出し命令を数字キー２０の操作によって作動させることができる。付加的に、必要に応じてメインメモリ１０に記憶された最後の４つの受信チャネルもカーソルキー２１の操作によって呼び出すことができる。
【００５７】
呼び出し命令を直接的に入力する場合には、数字キー２０のうちの１つないしはカーソルキー２１のうちの１つの以下の操作と一緒に特殊キー２２を操作することによって、別の措置を講じることなく呼び出し命令を作動させることが可能である。メインメモリ１０に受信チャネルが複数記憶されている場合には、しかしながらどの受信チャネルがどの記憶スペースに記憶されているかをユーザが正確には知らない可能性が高い。またユーザは所望のチャネルを呼び出すために、どの数字キー２０ないしはどのカーソルキー２１を操作しなければならないのかが分からない。したがって有利には、メインメモリ１０に記憶された受信チャネルをモニタ９に表示することが可能である。
【００５８】
特殊キー２２が初めて操作されると、これは表示命令として機能し、この命令に基づいてメインメモリ１０に記憶された受信チャネルがモニタ９に表示される。ここでメインメモリ１０に記憶された受信チャネルと一緒に、どのようにしてメインメモリ１０に記憶された受信チャネルが直接的に呼び出すことができるかがモニタ９に表示される。
【００５９】
メインメモリ１０に例えば１０までの受信チャネルが記憶されている場合、図５のようにモニタ９に表として、どの数字キー２０によってどの番組プログラムをメインメモリ１０から呼び出し可能であるかを表示することができる。メインメモリ１０に例えば４つまでの受信チャネルが記憶されていれば、図６のようにモニタ９にメインメモリ１０に記憶された受信チャネルの相応の配置によって、どのカーソルキー２１によってどの番組プログラムをメインメモリ１０から呼び出し可能であるかを表示することができる。数字キー２０ないしはカーソルキー２１が操作される前に特殊キー２２がもう一度操作されると、これは消去命令として機能し、この命令に基づいてメインメモリ１０に記憶された受信チャネルの表示は再び消去される。
【００６０】
特殊キー２２の第１の操作の際に、メインメモリ１０に記憶された最後の４つの受信チャネルをカーソル十字の配置構成で表示することも可能であり、カーソルキー２１のうちの１つが操作されると所望の受信チャネルが呼び出される。特殊キー２２の第２の操作の際に、メインメモリ１０に記憶された１０全ての受信チャネルがリストないしは表として表示され、数字キー２０のうちの１つが操作されると所望の受信チャネルが呼び出される。特殊キーの第３の操作の際には、リストないしは表が再びフェードアウトされる。
【００６１】
ここでメインメモリ１０に記憶された受信チャネルの表示は、択一的または付加的にチューナ７を介して受信される番組プログラムを表示することができる。
【００６２】
直接的な設定及び間接的な設定の他に、受信チャネルは勿論呼び出しによってもメインメモリ１０からチューニングメモリ６にロードすることができる。メインメモリ１０が（実施例の場合のように）少なくとも４つの記憶スペースＥ１〜Ｅ４を有しており、かつ記憶スペースＥ３〜Ｅ４に記憶された受信チャネルのうちの１つがチューニングメモリ６にロードされると、補充条件が発生した場合にはチューニングメモリ６の内容が記憶スペースＥ２に記憶される。以前に記憶スペースＥ２に記憶されていた受信チャネルは記憶スペースＥ３に再記憶される。記憶スペースＥ４に記憶されていた受信チャネルがチューニングメモリ６にロードされたならば、これに加えて以前に記憶スペースＥ３に記憶されていた受信チャネルも記憶スペースＥ４に再記憶される。すなわち結果的に、チューニングメモリ６にロードされた受信チャネルは時間的に最も新しい受信チャネルとしてメインメモリ１０ないしは一方の部分領域１０′に記憶される。
【００６３】
補充条件は記憶条件と同様に時間経過であって良い。
【００６４】
メインメモリ１０に２つより多くの受信チャネルが記憶されている場合、記憶された受信チャネルの呼び出しは通常の場合、少なくとも２つのキー２０、２１、２２の操作、すなわち特殊キー２２の操作及びキー２０、２１のうちの１つの操作と結びつけられている。したがって操作の快適性はラストキー２３によって高めることができる。ラストキー２３の操作の際には直接的に、記憶スペースＥ１に記憶された受信チャネルがメインメモリ１０からチューニングメモリ６にロードされる。択一的に、記憶スペースＥ１及びＥ２に記憶された受信チャネルを交互にチューニングメモリ６にロードすることも可能である。
【図面の簡単な説明】
【図１】  無線受信機ないしはテレビ信号受信機の実例としてのテレビ受信機を示す。
【図２】  経過ダイアグラムである。
【図３】  別の経過ダイアグラムである。
【図４】  操作ユニットを示す。
【図５】  表示ユニットの表示である。
【図６】  図６は表示ユニットの別の表示である。
【図１】
0003914769.tif 000002
【図４】
0003914769.tif 000003
【図２】
0003914769.tif 000004
【図３】
0003914769.tif 000005
【図５】
0003914769.tif 000006
【図６】
0003914769.tif 000007